(57)【要約】【課題】ボックススペースのレンタルを実施するレンタルボックス店舗において、利用者（ボックス使用者）の利便性向上と、ボックス使用の安全性を確保し、店舗運営者のボックス運用性を高める。【解決手段】棚１を箱状に区分けした多数の区画された独立したボックスであって、各ボックス背面のみを非透明とし、上下左右面を全て透明板で形成すると共に、前面に鍵付き透明扉を設けたレンタルボックス１１を、店舗来所者が視認できるように配置し、別に店舗来所者が視認できないトランクルーム２を備え、且つレンタルボックスの使用スケジュール管理手段と委託販売管理手段と、最初の使用である場合に所定のデータの書き込みがなされる会員登録のＩＣカード発行手段とを有するコンピュータシステム３を設置してなる。【選択図】　図３
2004145711.tif 000002
【特許請求の範囲】
【請求項１】
箱状に区分けした多数のボックスであって、各ボックス背面のみを非透明とし、上下左右面を全て透明板で形成すると共に、前面に鍵付き透明扉を設けたレンタルボックスを、店舗来所者が視認できるように配置し、別に店舗来所者が視認できないトランクルームを備え、且つレンタルボックスの使用スケジュール管理手段と委託販売管理手段と、最初の使用である場合に所定のデータの書き込みがなされる会員登録のＩＣカード発行手段とを有するコンピュータシステムを設置してなることを特徴とするレンタルボックス店舗。
【請求項２】
レンタルボックスが隣接ボックスとの仕切部分を着脱自在とした請求項１記載のレンタルボックス店舗。
【請求項３】
共通の会員ＩＣカードを使用できる請求項１記載の複数の店舗と、各店舗に設置しているコンピュータシステムと通信手段を介して所定のデータ管理を行う運営者コンピュータシステムとで構成してなるレンタルボックス店舗のフランチャイズシステム。
【発明の詳細な説明】
【０００１】
【産業上の利用分野】
本発明はレンタルボックス店舗及びそのフランチャイズシステムに関するものである。
【０００２】
【従来の技術及び発明が解決しようとする課題】
物品販売希望者が所定のスペース（箱状区画やハンガーによる展示スペース）を借り受け、当該スペースに販売希望物品を展示し、展示商品の販売を行う商品展示販売システムが知られている。即ち自己の不要品等の販売を行うフリーマーケットの常設委託販売といえるビジネス方法である。
【０００３】
例えば特開２００１−１３０７２０号公報には、箱状区画の棚のレンタルビジネスが開示され、商品展示以外の販売管理にハードウェア資源を用いると記載され、具体的な管理手段としては、各箱状区画の位置と対応する所定期間の商品の販売額、販売数量等の販売データに係る各種ランクを算出し、各種ランクに基づいて各箱状区画の位置に係る総合評価値を算出し、この総合評価値に基づいて当該箱状区画のレンタル価格ランク等の管理情報を得ることが開示されている。
【０００４】
また箱状区画について、柱状部材を採用したり、透明や半透明とすることで展示用照明のコストダウンが可能であることが示されている。
【０００５】
ところで前記の箱状区画は、商品の展示販売の為に使用することが前提とされているが、商品販売に限定するものでなく、商品展示のほか、宣伝広告や掲示板的な使用をも見据えた区画ボックス自体のレンタルを基本とすると、前記の箱状区画の棚構成では、区画ボックスの複数の組み合わせ使用に対する便宜性、スペース借り受け人（以下「会員」）の使用権の絶対的な確保の必要性について問題がある。
【０００６】
即ち独立した箱状区画では、複数区画の広いスペースの使用が困難であり、スペースを変更するためには展示棚の構造が複雑となる。更に当該店舗に来所した商品購入者が展示物を勝手に触れられないようにする必要がある場合の対策も必要である。
【０００７】
更にスペース借受人（会員）が、多数店舗に同様な商品展開や宣伝広告等を希望する場合に、当該フランチャイズ店舗（区画ボックスの備え付け店舗）の連繋性も必要であり、更にレンタル期間終了後の展示物の処分についての物品管理も必要となる。
【０００８】
そこで本発明は、新規なレンタルボックス店舗及びそのフランチャイズシステムを提案したものである。
【０００９】
【課題を解決する手段】
本発明に係るレンタルボックス店舗は、箱状に区分けした多数のボックスであって、各ボックス背面のみを非透明とし、上下左右面を全て透明板で形成すると共に、前面に鍵付き透明扉を設けたレンタルボックスを、店舗来所者が視認できるように配置し、別に店舗来所者が視認できないトランクルームを備え、且つレンタルボックスの使用スケジュール管理手段と委託販売管理手段と、最初の使用である場合に所定のデータの書き込みがなされる会員登録のＩＣカード発行手段とを有するコンピュータを設置してなることを特徴とするものである。
【００１０】
また本発明は特に前記店舗において、レンタルボックスを隣接ボックスとの仕切部分を着脱自在としたことを特徴とするものである。
【００１１】
而してボックス使用者は当該店舗を訪れ、所定の会員登録を済ませて、所定の会員プロフィールを記録した会員カード（ＩＣカード）を受領し、開いてるボックスの所望期間の借り入れを行い、当該借り入れボックス内に自由なディスプレーを施し、所望の展示をなす。
【００１２】
特に全体が透明で形成されているので、隣接ボックスの同時使用によって、複数ボックスによる単一目的展示も可能であるし、或いは隣接ボックスの仕切部分を外し、広いスペースを使用しての展示も可能である。そして鍵付き扉を備えることで、展示品やディスプレーが店舗来訪者（購買者）によって触れられることなく、確実な展示が維持されることになる。
【００１３】
また委託販売のレンタルボックス使用に際しては、所定の商品管理を店舗運営者が行い、展示商品を販売する。展示品が購入された場合には、当該商品の補充を行ったり、或いは契約に基づいて販売後にレンタル契約の自動終了処置を行う。
【００１４】
更に会員カードの発行は、種々事項が記入されており契約書代わりとなるもので、複数回の使用に際して、前記会員カードの読み取りのみで契約成立とする事ができる。
【００１５】
更に契約期間終了後には会員自ら展示の撤去を行う必要があるが、会員が撤去しない場合には、店舗運営業者が展示物をそっくりトランクルームに移動させ、当該ボックスを契約可能な状態とする。
【００１６】
また本発明に係るレンタルボックス店舗のフランチャイズシステムは、前記の会員カードを共通して使用できる複数の店舗と、各店舗に設置しているコンピュータと通信手段を介してデータ管理を行う運営者コンピュータとで構成してなることを特徴とするものである。
【００１７】
従って複数のレンタルボックス店舗を運営すると共に、会員カード（ＩＣカード）の使用によって何れの店舗でのレンタル申し込みであっても、レンタルの基本契約がなされていると見なすことができ、所望店舗でのボックスのレンタルが容易に行われる。
【００１８】
【実施の形態】
次に本発明の実施の形態について説明する。各店舗の構成は、図３，４に示すように、店舗Ａ内には、展示棚１と、トランクルーム（トランクスペース）２と、管理コンピュータシステム３とを備えてなる。
【００１９】
展示棚１は、箱状に区分けして各独立区画のレンタルボックス１１を形成するもので、特に各ボックスの背面のみを非透明とし、上下左右面を全て透明板で形成すると共に、前面に鍵付き透明扉を設けたもので、店舗来所者が視認できるように配置してなる。尚上下左右の隣接するボックスとの仕切部分は、着脱自在に設けてなる。
【００２０】
トランクルーム２は、内部に適宜な棚２１を備え、店舗来所者が内部を視認できないように設けておく。
【００２１】
店舗における管理コンピュータシステム３は、データベースとなり、且つ全体のシステムを運用するサーバー３１と、２個の端末パソコン３２ａ、３２ｂと、会計業務を行うレジスターシステム３３と、契約書等所定の書類の印字を行うプリンター３４で構成される。
【００２２】
端末パソコンａは、主にスケジュール管理と委託販売の商品管理を行うもので、スケジュール管理は、各レンタルボックスの使用（契約）の有無並びにその期間を把握し、レンタル契約成立時に、所定の入力を行うものである。また商品管理は、当該商品にバーコードを付与すると共に、バーコード票を発行して、当該商品に付する。また後述するようにボックスの利用状況を、適宜な通信手段４を介してフランチャイズ運営者のコンピュータシステム５に送信する。
【００２３】
端末パソコンｂは、主として顧客管理を行うもので、新規会員の登録及び会員カード（ＩＣカード）の発行や、契約書作成などの処理を行う。従ってカード発行機構並びにカードリーダーを付属させている。
【００２４】
ＩＣカードは、初めてレンタルボックスの使用を契約する者（入会者）が店舗で最初のボックス使用を申し込んだ際に発行されるもので、当該カードには、必要とする会員プロフィールを書き込み記録しておくものである。
【００２５】
そして次回の使用の際や、他店舗での使用に際して、当該カードが身分保障（契約成立）の役割をなすものである。
【００２６】
レジスターシステム３３は、委託販売商品の売却がなされた際の会計処理や会員に対する支払の集計処理などを行うもので、商品のバーコード票の読みとり機構を付属させてなる。
【００２７】
次に実際の店舗運営について説明する。会員は初めての使用に際して発行されているＩＣカードによって身元保証がなされ、使用を希望するレンタルボックスの空きを確認し、レンタル期間を定めて契約する。契約したレンタルボックス（複数でも可）１１の内部を自由にディスプレーして使用できる。勿論隣接するボックスを同時に使用することとし、レンタルした隣接ボックス間の仕切を外して広いスペースとして使用するようにしても良い。
【００２８】
特に物品の販売委託の場合には、会員が当該物品の価格を決定し、商品データを登録し、且つバーコードを付与してバーコード票を発行する。然る後レンタルしたボックス内に商品現物を展示する。
【００２９】
ボックス内に収納することができない商品等は、商品写真や説明文等を展示し、商品現物はトランクルームに収納しておいて、販売成立時に当該商品を購買者に手渡しするようにしても良い。
【００３０】
ディスプレー（商品展示等）を終了したレンタルボックス１１は店舗運営者によって施錠され、契約期間終了まで当該状態が維持される。勿論会員がディスプレーの変更や商品の入れ替えを行う場合は、店舗運営者が解錠する。
【００３１】
特に商品委託販売については、店舗来場者が購入を希望した場合に、レンタルボックス内から商品を取り出したり、トランクルーム２で保管している商品を、会員に代わって販売する。当該商品が販売されると、トランクルームから新たな商品を補充してレンタル契約の継続を行うようにしても良いし、レンタル契約が商品販売で終了する契約条件の場合には、レンタル契約終了として、当該レンタルボックスを空きとして、次のレンタルに供する。
【００３２】
商品委託販売時には所定の処理（商品のバーコード読み取り及び入金処理）を行い、売れた商品の対価は、所定の管理手数料を店舗運営者が天引きして、会員口座に振り込む。
【００３３】
契約したレンタル期間が終了すると、ボックス内の展示物（商品等）をトランクルームに移動して、当該ボックスを空きとして、次のレンタルに供する。
【００３４】
前記の説明は、店舗単位の説明であるが、複数店舗を運営するフランチャイズ展開を行っても良い。その場合には、ボックス使用者（会員）の便宜を図る必要がある。そこで各店舗の所定のデータ（会員データやボックス利用状況データ）を、インターネットなどの通信手段４を介して、そのまま本部コンピュータ（フランチャイズ運営者コンピュータ）５に送り、会員データやボックスの利用状況等か把握されるようにし、フランチャイズ運営者は、会員の登録データを保管し、フランチャイズ店舗に対して会員の身元保証を行い、店舗運営者が安心して店舗運営できるようにすると共に、各店舗の利用状況没を把握して、店舗運営者に種々の店舗運営上の助言を行う。
【００３５】
【発明の効果】
以上のように本発明は、周面全体が透明で且つ前面施錠可能な透明扉を備えたレンタルボックスを、店舗来所者が視認できるように配置し、別に店舗来所者が視認できないトランクルームを備え、且つレンタルボックスの使用スケジュール管理手段と委託販売管理手段と、最初の使用である場合に所定のデータの書き込みがなされる会員カード（ＩＣカード）発行手段とを有するコンピュータを設置してなるレンタルボックス店舗であり、また前記会員カードを共通使用する複数店舗と、各店舗に設置しているコンピュータと通信手段を介してデータ管理を行う運営者コンピュータとで構成してなるレンタルボックス店舗のフランチャイズシステムで、会員のレンタルボックスの使用の利便性並びに店舗運営者のボックスの運用性を向上させると共に、ボックス内展示物の絶対的保護を実現して、レンタルボックス使用者に安心感を与える店舗としたものである。
【図面の簡単な説明】
【図１】本発明のフランチャイズシステムの実施形態の構成図。
【図２】同店舗における管理コンピュータシステムの構成説明図。
【図３】同店舗内の構成図（平面図）。
【図４】同レンタルボックスの説明図。
【符号の説明】
Ａ　　　　店舗
１　　　　展示棚
１１　　　レンタルボックス
２　　　　トランクルーム
２１　　　棚
３　　　　店舗の管理コンピュータシステム
３１　　　サーバ
３２ａ，３２ｂ　端末パソコン
３３　　レジスターシステム
３４　　プリンター
４　　　　通信手段
５　　　　本部コンピュータ（フランチャイズ運営者コンピュータシステム）
【図１】
2004145711.tif 000003
【図２】
2004145711.tif 000004
【図３】
2004145711.tif 000005
【図４】
2004145711.tif 000006